(57)【要約】【課題】  記録紙に付加される付加用紙のサイズを自動的に選択して給紙することが可能な画像形成装置を提供する。【解決手段】  画像制御部６１は、クライアントＰＣ９０からの画像出力命令の信号に基づいて記録紙の第１枚目のサイズを検知し、この検知結果から記録紙の表表紙のサイズを決定する。画像制御部６１から表表紙のサイズに対応する信号がＦＳ制御部１６に出力され、ＦＳ制御部１６の制御により付加用紙検知手段１７は付加用紙給紙部４０の付加用紙のサイズを検知する。ＦＳ制御部１６は検知結果と画像制御部６１からの信号とに基づいて、表表紙のサイズと同じサイズの付加用紙が備えられているか否かの判断を行う。同一のサイズ又は少なくとも一辺の長さが等しい用紙が存在する場合は、ＦＳ制御部１６の制御により付加用紙給紙部４０から付加用紙を給紙する。【選択図】      図２
2005335846.tif 000002
【特許請求の範囲】
【請求項１】
入力画像データに対して画像処理を施して記録紙に画像を形成する画像形成プロセス手段と、
前記画像が形成された記録紙に付加用紙を給紙する付加用紙給紙手段と、を備えた画像形成装置であって、
前記記録紙のサイズを検知する記録紙サイズ検知手段を有し、
前記付加用紙給紙手段は、前記記録紙サイズ検知手段の検知結果に基づいて、前記記録紙と少なくとも一辺の長さが等しい付加用紙を給紙することを特徴とする画像形成装置。
【請求項２】
前記記録紙サイズ検知手段は、前記記録紙のうち、第１枚目の記録紙のサイズ及び最終紙のサイズを検知し、
前記付加用紙給紙手段は、前記第１枚目の記録紙の下に前記第１枚目の記録紙と少なくとも一辺の長さが等しい付加用紙を給紙し、前記最終紙の上に前記最終紙と少なくとも一辺の長さが等しい付加用紙を給紙することを特徴とする請求項１に記載の画像形成装置。
【請求項３】
前記記録紙のサイズを指定して前記画像形成プロセス手段に画像の出力を指示する画像出力指示手段を有し、
前記記録紙サイズ検知手段は、前記画像の出力の指示に基づいて前記記録紙のサイズを検知し、
前記付加用紙給紙手段は前記記録紙サイズ検知手段の検知結果に基づいて前記記録紙と少なくとも一辺の長さが等しい付加用紙を給紙することを特徴とする請求項１に記載の画像形成装置。
【請求項４】
前記画像出力指示手段はネットワークを介して前記画像形成プロセス手段に接続されていることを特徴とする請求項３に記載の画像形成装置。
【請求項５】
前記記録紙を綴じ合わせる綴じ処理、前記記録紙を折り畳む折り畳み処理、又は前記記録紙に孔を形成する穿孔処理のうち、少なくとも１つの処理を行う後処理手段を更に有し、
前記付加用紙給紙手段は、前記後処理手段による処理が行われる場合に限り前記記録紙と少なくとも一辺の長さが等しい付加用紙を給紙することを特徴とする請求項１乃至請求項４のいずれかに記載の画像形成装置。
【請求項６】
前記記録紙を綴じ合わせる綴じ処理、前記記録紙を折り畳む折り畳み処理、又は前記記録紙に孔を形成する穿孔処理のうち、少なくとも１つの処理を行う後処理手段を更に有し、
前記記録紙サイズ検知手段が前記記録紙中に辺の長さが異なる記録紙を検知した場合、前記後処理手段は前記処理を停止することを特徴とする請求項１乃至請求項４のいずれかに記載の画像形成装置。
【請求項７】
入力画像データに対して画像処理を施して記録紙に画像を形成する画像形成プロセス工程と、
前記画像が形成された記録紙に付加用紙を給紙する付加用紙給紙工程と、を含む画像形成方法であって、
前記記録紙のサイズを検知する記録紙サイズ検知工程を含み、
前記付加用紙給紙工程においては、前記記録紙サイズ検知工程の検知結果に基づいて、前記記録紙と少なくとも一辺の長さが等しい付加用紙を給紙することを特徴とする画像形成方法。
【請求項８】
前記記録紙サイズ検知工程においては、前記記録紙のうち、第１枚目の記録紙のサイズ及び最終紙のサイズを検知し、
前記付加用紙給紙工程においては、前記第１枚目の記録紙の下に前記第１枚目の記録紙と少なくとも一辺の長さが等しい付加用紙を給紙し、前記最終紙の上に前記最終紙と少なくとも一辺の長さが等しい付加用紙を給紙することを特徴とする請求項７に記載の画像形成方法。
【請求項９】
前記記録紙のサイズを指定して画像の出力を指示する画像出力指示工程を含み、
前記記録紙サイズ検知工程においては、前記画像の出力の指示に基づいて前記記録紙のサイズを検知し、
前記付加用紙給紙工程においては、前記記録紙サイズ工程の検知結果に基づいて前記記録紙と少なくとも一辺の長さが等しい付加用紙を給紙することを特徴とする請求項７に記載の画像形成方法。
【請求項１０】
前記画像出力指示工程における画像の出力の指示は、ネットワークを介して行われることを特徴とする請求項９に記載の画像形成方法。
【請求項１１】
前記記録紙を綴じ合わせる綴じ処理、前記記録紙を折り畳む折り畳み処理、又は前記記録紙に孔を形成する穿孔処理のうち、少なくとも１つの処理を行う後処理工程を更に含み、
前記付加用紙給紙工程においては、前記後処理工程により処理が行われる場合に限り前記記録紙と少なくとも一辺の長さが等しい付加用紙を給紙することを特徴とする請求項７乃至請求項１０のいずれかに記載の画像形成方法。
【請求項１２】
前記記録紙を綴じ合わせる綴じ処理、前記記録紙を折り畳む折り畳み処理、又は前記記録紙に孔を形成する穿孔処理のうち、少なくとも１つの処理を行う後処理工程を更に含み、
前記記録サイズ検知工程において前記記録紙中に辺の長さが異なる記録紙が検知された場合、前記後処理工程における処理を停止することを特徴とする請求項７乃至請求項１０のいずれかに記載の画像形成方法。
【発明の詳細な説明】
【技術分野】
【０００１】
この発明は、画像が形成された記録紙に表表紙や裏表紙等の付加用紙を付加すると共に綴じ処理や二つ折り等の後処理を行う後処理機能を有する画像形成装置に関し、特に、付加用紙の給紙制御技術に関する。
【背景技術】
【０００２】
複写機やプリンタ等の画像形成装置本体において画像が形成された記録紙に対して、表表紙、裏表紙等の付加用紙を付加すると共に、綴じ処理や二つ折り等の後処理を行い、冊子を作製する機能を有する後処理装置が知られている。
【０００３】
従来の画像形成装置では、操作者の操作によって記録紙のサイズを指定して記録紙に画像を形成する他に、画像形成装置が自動的に画像サイズに一致したサイズの記録紙を選択して画像を形成している。例えば、画像形成装置を複写機として用いる場合、画像を読み取る段階で自動的に画像のサイズも検知し、そのサイズに一致した記録紙を選択して画像のコピーを行っている（例えば、特許文献１）。また、画像形成装置をプリンタとして用いる場合は、画像形成装置に接続されたコンピュータ等から画像データを出力条件と共に画像形成装置に出力し、その出力条件に従って画像を記録紙に形成している。
【０００４】
【特許文献１】特開２００３−９８７７４号公報
【発明の開示】
【発明が解決しようとする課題】
【０００５】
しかしながら、後処理装置で付加される付加用紙については、自動的に画像サイズに一致した用紙が選択されず、操作者は具体的に付加用紙のサイズや付加用紙が備えられている付加用紙給紙トレイの番号等を指定する必要があった。付加用紙の給紙トレイに所望のサイズの用紙がセットされている場合であっても、付加用紙のサイズを指定する必要があるため、操作性が悪いといった問題があった。例えば、記録紙のサイズがＡ４であった場合、自動的にＡ４サイズの付加用紙が記録紙に付加されることはなく、操作者が付加用紙のサイズを予め指定して画像形成装置に指示する必要があった。
【０００６】
また、綴じ処理や折り畳み処理等の後処理を行うためには、各記録紙の少なくとも一辺の長さを揃える必要があるため、記録紙のサイズと付加用紙のサイズとが同一又は同系列のサイズである必要がある。
【０００７】
ここで同系列のサイズについて簡単に説明する。同系列のサイズとは、例えば、ＪＩＳで規格された判（Ａ判又はＢ判）において、少なくとも一辺の長さが等しいことを意味する。例えば、図７に示すように、記録紙のサイズがＡ４（２１０×２９７ｍｍ２）である場合、一辺の長さが等しいＡ３（２９７×４２０ｍｍ２）が同系列となる。Ａ４サイズの用紙とＡ３サイズの用紙とは、一辺の長さが２９７ｍｍと等しいため、同系列となる。また、記録紙のサイズがＢ４（２５７×３６４ｍｍ２）である場合、Ｂ５（１８２×２５７ｍｍ２）が同系列となる。
【０００８】
ここで、図８に記録紙のサイズを表にして示す。この表から、例えば、Ａ０とＡ１とは、一辺の長さが８４１ｍｍと一致するため同系列となり、Ａ１とＡ２とは、一辺の長さが４２０ｍｍと一致するため同系列となる。同様に、Ａ２とＡ３、Ａ３とＡ４、Ａ４とＡ５、・・・Ａ８とＡ９は同系列の用紙となる。また、Ｂ判も同様に、Ｂ０とＢ１、Ｂ１とＢ２、・・・Ｂ８とＢ９は同系列の用紙となる。また、Ａ判に対してＢ判は一辺の長さが異なるため異系列のサイズとなる。
【０００９】
綴じ処理等の後処理を行う場合であって、例えば、記録紙のサイズがＡ４の場合、付加用紙のサイズもＡ４又は同系列のＡ３を用いる必要がある。このサイズについて、図９を参照しつつ説明する。図９は用紙の上面図である。同図に示すように、Ａ４サイズの用紙とＢ４サイズの用紙とが重なった場合に、用紙の端部を綴じようとすると、Ａ４サイズの用紙の端部のみにステープル処理が施されて針９１でＡ４サイズの用紙が綴じられ、Ｂ４サイズの用紙はステープル処理が施されない。従って、Ａ４サイズの用紙とＢ４サイズの用紙とは一緒に綴じられることはない。
【００１０】
そのため、操作者は、記録紙のサイズと同一又は少なくとも一辺の長さが等しい同系列のサイズの付加用紙を選択して画像形成装置に指示する必要があるが、記録紙のサイズと辺の長さが異なる異系列のサイズが選択されてしまった場合は、ステープル等の後処理を行うことができないといった問題もある。
【００１１】
一方、後処理を行う必要がない場合は、付加用紙のサイズは記録紙のサイズと同一又は同系列である必要はない。
【００１２】
この発明は上記の問題を解決するものであり、記録紙のサイズを検知する手段を設けることにより、付加用紙のサイズを自動的に選択して給紙することが可能な画像形成装置を提供することを目的とする。そのことにより付加用紙の選択の操作性を向上させ、自動的に所望の出力が得られることを目的とする。
【課題を解決するための手段】
【００１３】
請求項１に記載の発明は、入力画像データに対して画像処理を施して記録紙に画像を形成する画像形成プロセス手段と、前記画像が形成された記録紙に付加用紙を給紙する付加用紙給紙手段と、を備えた画像形成装置であって、前記記録紙のサイズを検知する記録紙サイズ検知手段を有し、前記付加用紙給紙手段は、前記記録紙サイズ検知手段の検知結果に基づいて、前記記録紙と少なくとも一辺の長さが等しい付加用紙を給紙することを特徴とする画像形成装置である。
【００１４】
この発明は、記録紙のサイズに基づいて給紙すべき付加用紙のサイズを決定し、記録紙と少なくとも一辺の長さが等しい付加用紙を給紙するものである。付加用紙とは、印刷等により画像が形成された記録紙に挿入される用紙であり、例えば記録紙の表表紙や裏表紙に相当する。記録紙のサイズを検知して少なくとも一辺の長さが等しい付加用紙を給紙することにより、自動的に辺の長さが等しい付加用紙を給紙することができる。
【００１５】
請求項２に記載の発明は、請求項１に記載の画像形成装置であって、前記記録紙サイズ検知手段は、前記記録紙のうち、第１枚目の記録紙のサイズ及び最終紙のサイズを検知し、前記付加用紙給紙手段は、前記第１枚目の記録紙の下に前記第１枚目の記録紙と少なくとも一辺の長さが等しい付加用紙を給紙し、前記最終紙の上に前記最終紙と少なくとも一辺の長さが等しい付加用紙を給紙することを特徴とするものである。
【００１６】
請求項３に記載の発明は、請求項１に記載の画像形成装置であって、前記記録紙のサイズを指定して前記画像形成プロセス手段に画像の出力を指示する画像出力指示手段を有し、前記記録紙サイズ検知手段は、前記画像の出力の指示に基づいて前記記録紙のサイズを検知し、前記付加用紙給紙手段は前記記録紙サイズ検知手段の検知結果に基づいて前記記録紙と少なくとも一辺の長さが等しい付加用紙を給紙することを特徴とするものである。
【００１７】
請求項４に記載の発明は、請求項３に記載の画像形成装置であって、前記画像出力指示手段はネットワークを介して前記画像形成プロセス手段に接続されていることを特徴とするものである。
【００１８】
請求項５に記載の発明は、請求項１乃至請求項４のいずれかに記載の画像形成装置であって、前記記録紙を綴じ合わせる綴じ処理、前記記録紙を折り畳む折り畳み処理、又は前記記録紙に孔を形成する穿孔処理のうち、少なくとも１つの処理を行う後処理手段を更に有し、前記付加用紙給紙手段は、前記後処理手段による処理が行われる場合に限り前記記録紙と少なくとも一辺の長さが等しい付加用紙を給紙することを特徴とするものである。
【００１９】
請求項６に記載の発明は、請求項１乃至請求項４のいずれかに記載の画像形成装置であって、前記記録紙を綴じ合わせる綴じ処理、前記記録紙を折り畳む折り畳み処理、又は前記記録紙に孔を形成する穿孔処理のうち、少なくとも１つの処理を行う後処理手段を更に有し、前記記録紙サイズ検知手段が前記記録紙中に辺の長さが異なる記録紙を検知した場合、前記後処理手段は前記処理を停止することを特徴とするものである。
【００２０】
請求項７に記載の発明は、入力画像データに対して画像処理を施して記録紙に画像を形成する画像形成プロセス工程と、前記画像が形成された記録紙に付加用紙を給紙する付加用紙給紙工程と、を含む画像形成方法であって、前記記録紙のサイズを検知する記録紙サイズ検知工程を含み、前記付加用紙給紙工程においては、前記記録紙サイズ検知工程の検知結果に基づいて、前記記録紙と少なくとも一辺の長さが等しい付加用紙を給紙することを特徴とする画像形成方法である。
【００２１】
請求項８に記載の発明は、請求項７に記載の画像形成方法であって、前記記録紙サイズ検知工程においては、前記記録紙のうち、第１枚目の記録紙のサイズ及び最終紙のサイズを検知し、前記付加用紙給紙工程においては、前記第１枚目の記録紙の下に前記第１枚目の記録紙と少なくとも一辺の長さが等しい付加用紙を給紙し、前記最終紙の上に前記最終紙と少なくとも一辺の長さが等しい付加用紙を給紙することを特徴とするものである。
【００２２】
請求項９に記載の発明は、請求項７に記載の画像形成方法であって、前記記録紙のサイズを指定して画像の出力を指示する画像出力指示工程を含み、前記記録紙サイズ検知工程においては、前記画像の出力の指示に基づいて前記記録紙のサイズを検知し、前記付加用紙給紙工程においては、前記記録紙サイズ工程の検知結果に基づいて前記記録紙と少なくとも一辺の長さが等しい付加用紙を給紙することを特徴とするものである。
【００２３】
請求項１０に記載の発明は、請求項９に記載の画像形成方法であって、前記画像出力指示工程における画像の出力の指示は、ネットワークを介して行われることを特徴とするものである。
【００２４】
請求項１１に記載の発明は、請求項７乃至請求項１０のいずれかに記載の画像形成方法であって、前記記録紙を綴じ合わせる綴じ処理、前記記録紙を折り畳む折り畳み処理、又は前記記録紙に孔を形成する穿孔処理のうち、少なくとも１つの処理を行う後処理工程を更に含み、前記付加用紙給紙工程においては、前記後処理工程により処理が行われる場合に限り前記記録紙と少なくとも一辺の長さが等しい付加用紙を給紙することを特徴とするものである。
【００２５】
請求項１２に記載の発明は、請求項７乃至請求項１０のいずれかに記載の画像形成方法であって、前記記録紙を綴じ合わせる綴じ処理、前記記録紙を折り畳む折り畳み処理、又は前記記録紙に孔を形成する穿孔処理のうち、少なくとも１つの処理を行う後処理工程を更に含み、前記記録サイズ検知工程において前記記録紙中に辺の長さが異なる記録紙が検知された場合、前記後処理工程における処理を停止することを特徴とするものである。
【発明の効果】
【００２６】
この発明によると、記録紙のサイズを検知して、少なくとも一辺の長さが等しい付加用紙を給紙することにより、自動的に辺の長さが等しい付加用紙を給紙することが可能となる。その結果、操作者は付加用紙のサイズを選択する必要がないため、画像形成装置の操作性が向上する。さらに、自動的に付加用紙のサイズが選択されて、記録紙のサイズと異なる異系列のサイズが指定されることがないため、ステープル等の後処理が停止することもない。
【００２７】
さらに、ステープル等の後処理が行われる場合に限り記録紙と少なくとも一辺の長さが等しい付加用紙を給紙することで、後処理が指示されていない場合は、付加用紙給紙手段にセットされている任意の付加用紙を給紙することにより、異系列のサイズを有する記録紙であっても付加用紙の給紙が可能となる。つまり、後処理を行わない場合は、記録紙と少なくとも一辺の長さが等しい付加用紙を給紙する必要がないため、予め付加用紙給紙手段にセットされている付加用紙を給紙することで、異系列のサイズを有する記録紙であっても付加用紙の給紙が可能となる。
【発明を実施するための最良の形態】
【００２８】
以下、この発明の実施形態に係る画像形成装置について、図１乃至図６を参照しつつ説明する。
【００２９】
（構成）
この発明の実施形態に係る画像形成装置の構成について図１を参照しつつ説明する。図１は、この発明の実施形態に係る画像形成装置の概略構成を示す装置の断面図である。
【００３０】
図１に示すように、画像形成装置は画像形成装置本体ＧＨと後処理装置ＦＳとで構成されている。画像形成装置本体ＧＨは、画像読取部１、画像処理部２、画像書込部３、画像形成部４、カセット給紙部５、大容量給紙部（ＬＣＴ）６、定着装置７、排紙部８、及び自動両面コピー給紙部（ＡＤＵ）９を備えている。
【００３１】
画像形成装置本体ＧＨの上部には、自動原稿送り装置ＤＦが搭載されている。画像形成装置本体ＧＨの図示の左側面の排紙部８側には、後処理装置ＦＳが連結されている。
【００３２】
自動原稿送り装置ＤＦの原稿台上に載置された原稿ＧＫは矢印の方向に搬送され、画像読取部１の光学系により原稿の片面又は両面の画像が読み取られ、ＣＣＤイメージセンサ１Ａに読み込まれる。
【００３３】
ＣＣＤイメージセンサ１Ａにより光電変換されたアナログ信号は、画像処理部２において、アナログ処理、Ａ／Ｄ変換、シェーディング補正、画像圧縮処理等が行われた後、画像読込部３に伝送され、画像書込部３を駆動する。
【００３４】
画像書込部３においては、半導体レーザからの出力光が画像形成部４の感光体ドラムに照射され、潜像を形成する。画像形成部４においては、帯電、露光、現像、転写、分離、及びクリーニング等の処理が行われ、カセット給紙部５又は大容量給紙部６から搬送された記録紙ＣＰに画像が転写される。画像を担持した記録紙ＣＰは、定着装置７により定着処理され、排紙ローラ８により後処理装置ＦＳに送り込まれる。または、記録紙ＣＰが搬送路切り替え板８Ａにより自動両面コピー給紙部９に送り込まれた場合、片面画像処理済みの記録紙ＣＰは再び画像形成部４において両面画像処理後、後処理装置ＦＳに送り込まれる。
【００３５】
後処理装置ＦＳには、穿孔手段１０、シフト手段１１、中間スタッカ１２、ステープラ１４、折り畳み手段１５が設けられている。穿孔手段１０は、ファイル用の孔を記録紙ＣＰ及び付加用紙ＨＰにあけるものである。この穿孔手段１０は、画像形成装置本体ＧＨの操作部ＯＰにおける設定条件や、ネットワーク等を介して画像形成装置本体ＧＨに接続されているクライアントＰＣ（図示しない）における設定条件に従って、記録紙ＣＰ及び付加用紙ＨＰの縦辺部又は横辺部に孔をあける。
【００３６】
シフト手段１１は、記録紙ＣＰ及び付加用紙ＨＰは搬送幅方向に、部ごとに排紙位置を変えて排紙する処理ユニットであり、何枚ごとにシフトするかは操作部ＯＰや上記のクライアントＰＣ（図示しない）で設定される。ステープラ１４は、中間スタッカ１２に積載された記録紙ＣＰ及び付加用紙ＨＰの束を針で綴じるものである。綴じ枚数、綴じ位置（縦辺部又は横辺部）、及び綴じ数等の処理条件は操作部ＯＰや上記のクライアントＰＣ（図示しない）で設定される。
【００３７】
付加用紙給紙部４０は、送り出しローラ４０Ａ、分離ローラ４０Ｂ、捌きローラ４０Ｃ、付加用紙検知手段としての用紙センサＰＳ１、及び付加用紙給紙トレイ２０を備えている。さらに、付加用紙給紙部４１は、送り出しローラ４１Ａ、分離ローラ４１Ｂ、捌きローラ４１Ｃ、付加用紙検知手段としての用紙センサＰＳ２、及び付加用紙給紙トレイ２１を備えている。用紙センサＰＳ１、ＰＳ２は、それぞれ付加用紙給紙トレイ２０、２１における付加用紙Ｐの有無及びサイズを検知する。なお、付加用紙給紙部４０、４１がこの発明の「付加用紙給紙手段」に相当する。
【００３８】
さらに後処理装置ＦＳには、固定排紙トレイ２２、昇降排紙トレイ２３、及び固定排紙トレイ２４が備えられている。
【００３９】
ここで、後処理装置ＦＳの処理について、処理モードごとに簡単に説明する。画像形成装置ＧＨで画像が形成された記録紙ＣＰは、搬入部Ａ、共通搬送路Ｂ、及び搬送路Ｃを経て固定排紙トレイ２２に排紙される。
【００４０】
穿孔モードにおいては、穿孔手段１０において穿孔処理を行って、搬送路Ｃから固定排紙トレイ２２に排紙するか、又は搬送路Ｃを経て昇降排紙トレイ２３に排紙するか、又は搬送路Ｄ、Ｅを経て昇降排紙トレイ２３に排紙するか、又は搬送路Ｄ、Ｅ、Ｆを経て固定排紙トレイ２４に排紙する。
【００４１】
シフトモードにおいては、搬入部Ａで搬入された記録紙ＣＰ及び付加用紙給紙トレイ２０、２１から給紙された付加用紙ＨＰを、共通搬送路Ｂを経て搬送路Ｃに搬送し、シフト手段１１においてシフト処理した後、昇降排紙トレイ２３に排紙する。
【００４２】
綴じモードにおいては、搬入部Ａで搬入された記録紙ＣＰ及び付加用紙給紙トレイ２０、２１から給紙された付加用紙ＨＰを、共通搬送路Ｂを経て搬送路Ｄ、搬送路Ｅへと搬送し、ストッパＥＡで保持して中間スタッカ１２に集積し、集積した記録紙ＣＰ及び付加用紙ＨＰの束に対してステープラ１４で綴じ処理を行う。綴じ処理後に、ストッパＥＡを上方に移動させて記録紙ＣＰ及び付加用紙ＨＰの束を押し上げ、排紙ローラ３により昇降排紙トレイ２３に排紙する。
【００４３】
中綴じ・中折りモードにおいては、搬入部Ａで搬入された記録紙ＣＰ及び付加用紙給紙トレイ２０、２１から給紙された付加用紙ＨＰを、共通搬送路Ｂを経て搬送路Ｄ、Ｅへと搬送し、ストッパＥＢで保持して搬送路Ｅに集積して、集積した記録紙ＣＰ及び付加用紙ＨＰの束に対してステープラ１４により用紙中央部を綴じる中綴じ処理を行う。綴じ処理後に折り畳み手段１５において中折り処理を行い、用紙束を、搬送路Ｆを経て固定排紙トレイ２４に排紙する。
【００４４】
また、付加用紙を付加する動作について簡単に説明する。付加用紙ＨＰは付加用紙給紙トレイ２０、２１に積載され、付加用紙給紙部４０、４１から給紙される。付加用紙給紙トレイ２０の付加用紙ＨＰは搬送路Ｍから搬送路Ｑを経て共通搬送路Ｂへと搬送される。付加用紙給紙トレイ２１の付加用紙ＨＰは搬送路Ｎから搬送路Ｑを経て共通搬送路Ｂへと搬送される。
【００４５】
画像形成装置本体ＧＨから搬入された記録紙ＣＰに対して、付加用紙ＨＰを付加する処理が行われる。このような処理は、記録紙ＣＰの束に表表紙、裏表紙、仕切等を付加するものである。図６に示すように設定枚数の記録紙ＣＰごとに、付加用紙ＨＰを付加することにより、複数部の複写を行う場合の部ごとの仕分け、冊子の形成、章分け等を行う。図６（ａ）には、記録紙ＣＰに表表紙ＨＨＰを付加する処理が示されている。また、図６（ｂ）には、記録紙ＣＰに裏表紙ＵＨＰを付加する処理が示されている。また、図６（ｃ）には、記録紙ＣＰに仕切ＳＨＰを付加する処理が示されている。
【００４６】
ここで、記録紙ＣＰと付加用紙ＨＰとが搬送されるタイミングについて説明する。まず、付加用紙給紙トレイ２０（２１）から表表紙ＨＨＰが共通搬送路Ｂへと搬送され、綴じ処理等される場合はストッパＥＡ等に保持される。そして、所定の時間間隔をおいて画像形成装置本体ＧＨから排紙ローラ８を通過して第１枚目の記録紙ＣＰ１が共通搬送路Ｂへと搬送され、ストッパＥＡ等で保持される。引き続き、第２枚目の記録紙ＣＰ２、第３枚目の記録紙ＣＰ３、・・・、第ｎ枚目の記録紙ＣＰｎが排紙ローラ８を通過して共通搬送路Ｂへと搬送され、ストッパＥＡ等で保持される。そして、全ての記録紙ＣＰが搬送された後に、付加用紙給紙トレイ２０（２１）から裏表紙ＵＨＰが共通搬送路Ｂへと搬送され、ストッパＥＡ等で保持される。このようなタイミングで記録紙ＣＰ及び付加用紙ＨＰが給紙され、冊子等が作製される。
【００４７】
次に、この発明の実施形態に係る画像形成装置の回路構成について図２を参照しつつ説明する。図２は、この発明の実施形態に係る画像形成装置のブロック図である。
【００４８】
画像読取部１には、ＣＣＤイメージセンサ１ＡとそのＣＣＤイメージセンサ１Ａを駆動させる制御部１Ｂとが設けられている。プリンタ部８０は図１に示す画像書込部３及び画像形成部４に相当し、半導体レーザＬＤ８１とその半導体レーザＬＤ８１を駆動させる制御部８２とが設けられている。
【００４９】
画像処理部２は、画像読取部１で読み取られた画像データを処理する制御部２Ａと、その画像データを記憶する画像メモリ２Ｃと、画像メモリ２Ｃを制御するＤＲＡＭ制御部２Ｂとが設けられている。
【００５０】
制御部６０は、画像読取部１、プリンタ部８０、及び操作部７０の動作を制御するものであり、主に、画像制御部６１と、読取処理部６５と、書込処理部６７と、ＤＲＡＭ制御部６２と、画像メモリ６４とを有する。画像制御部６１は、画像読取部１の制御部１Ｂと、操作部７０の制御部７２と、プリンタ部８０の制御部８２と、ＤＲＡＭ制御部６２とに接続され、各制御部の動作を制御する。
【００５１】
画像制御部６１がこの発明の「記録紙サイズ検知手段」に相当し、クライアントＰＣから出力される出力条件の信号に基づいて記録紙ＣＰのサイズを検知及び判断し、その検知結果をＦＳ制御部１６に出力する。ＦＳ制御部１６はその検知結果に基づいて付加用紙給紙部４０（４１）を制御し、同一又は同系列のサイズを有する付加用紙ＨＰを給紙する。
【００５２】
また、記録紙ＣＰ及び付加用紙ＨＰの給紙のタイミングは、画像制御部６１及びＦＳ制御部１６の制御により行なわれる。クライアントＰＣから出力命令がなされると、ＦＳ制御部１６の制御により付加用紙給紙部４０（４１）から表表紙となる付加用紙ＨＰが給紙され、後処理装置ＦＳのストッパＥＡ等で保持される。そして、画像制御部６１は、ＦＳ制御部１６から付加用紙ＨＰを供給した旨の信号を受け、所定の時間間隔をおいて、画像が形成された記録紙ＣＰを画像形成装置本体ＧＨから後処理装置ＦＳに排出する。その記録紙ＣＰは後処理装置ＦＳのストッパＥＡ等で保持される。そして、全ての記録紙ＣＰが排出されると、画像制御部６１からＦＳ制御部１６に全ての記録紙ＣＰを排紙した旨の信号が送信される。ＦＳ制御部１６はその信号を受けて付加用紙給紙部４０（４１）を制御し、付加用紙給紙部４０（４１）は裏表紙となる付加用紙ＨＰを給紙し、その付加用紙ＨＰは後処理装置ＦＳのストッパＥＡ等で保持される。
【００５３】
ＤＲＡＭ制御部６２は画像制御部６１からの命令により画像メモリ６４から画像データを読み込んだり、画像メモリ６４に画像データを格納したりする。読取処理部６５は、ＣＣＤイメージセンサ１Ａにより光電変換されたアナログ信号を処理して圧縮部６６に画像データを出力する。圧縮部６６は、読み込まれた画像データを圧縮してＤＲＡＭ制御部６２に出力する。伸長部６８は、圧縮された画像データをＤＲＡＭ制御部６２から受けて画像データを伸長し、書込み処理部６７に出力する。書込み処理部６６は、伸長部６７で伸長された画像データを記録紙ＣＰへの書込み用に処理し、プリンタ部８０に出力する。不揮発性メモリ６３は、画像形成装置で実行可能な各種プログラムや機能に応じた設定内容等を記憶する。
【００５４】
操作部７０は、入力部と表示部とからなる。入力部は、カーソルキー、数字入力キー、及び各種機能キー等を備えたキーボードを含み、このキーボードで押下されたキーに対応する押下信号を制御部７２に出力する。また、表示部は、液晶ディスプレイＬＣＤ７１やＥＬディスプレイ等により構成され、制御部７２を介して画像制御部６１から入力される表示信号の指示に従って、画面上に画像データやテキストデータ等の表示を行う。なお、この表示部にタッチパネル方式を採用し、入力部と一体的に設けられていても良い。
【００５５】
後処理装置ＦＳには、穿孔手段１０、シフト手段１１、ステープラ１４、及び折り畳み手段１５が設けられ、さらに、付加用紙給紙部４０（４１）と、用紙センサＰＳ１（ＰＳ２）からなる付加用紙検知手段１７が設けられている。また、各手段の動作を制御するＦＳ制御部１６が設けられている。
【００５６】
このＦＳ制御部１６は、画像制御部６１からの記録紙ＣＰのサイズに対応する信号と付加用紙検知手段１７が検知した付加用紙ＨＰのサイズに対応する信号とを比較して、付加用紙給紙部４０（４１）に付加用紙ＨＰが備えられているか否かの判断をする。そして、必要であれば、記録紙ＣＰのサイズと同一又は同じ幅を有する同系列のサイズを給紙するように付加用紙給紙部４０（４１）に給紙命令の信号を出力する。
【００５７】
また、画像処理部２には、ＬＡＮ  ＩＦが設けられ、ＬＡＮなどのネットワークを介してクライアントＰＣ９０が接続されている。このクライアントＰＣ９０又は操作部７０から画像出力の指示を行う。なお、クライアントＰＣ９０及び操作部７０がこの発明の「画像出力指示手段」に相当する。
【００５８】
（動作）
次に、画像が形成された記録紙に付加用紙を付加する際の動作について図３乃至図６を参照しつつ説明する。図３及び図４は記録紙に付加用紙を付加する動作を順番に示すフローチャートである。図５は、クライアントＰＣ９０の画面上における画像出力指示の設定内容を示す図である。なお、本実施形態においては、画像形成装置をプリンタとして用い、クライアントＰＣ９０から画像の出力を指示する場合について説明する。
【００５９】
まず、クライアントＰＣ９０において、記録紙ＣＰのサイズ、後処理の有無、後処理を行う場合はその後処理の内容（ステープラ、折り畳み等）、表表紙のサイズ、及び裏表紙のサイズを設定し、画像形成装置に対して画像の出力命令を行う（ステップＳ０１）。
【００６０】
この設定内容の１例について図５を参照しつつ説明する。例えば、図示しないが、記録紙ＣＰのサイズをＡ４とし、後処理の内容としてステープラを選択する。そして、表紙を作成する場合は、表表紙の有無、表表紙を給紙する付加用紙給紙トレイの番号、及び表表紙のサイズを指定する。図５に示すように、表表紙を「あり」に設定し、表表紙給紙トレイとして「付加用給紙トレイ１」と選択し、表表紙給紙サイズを「自動」に設定する。本実施形態に係る後処理装置ＦＳには、２つの付加用紙給紙トレイ２０、２１が設けられているため、付加用紙給紙トレイ２０又は付加用紙給紙トレイ２１のいずれかを選択する。または、付加用紙給紙トレイの番号を自動選択に設定することもできる。
【００６１】
本実施形態においては、図５に示すように、表表紙のサイズを「自動」に設定する。また、裏表紙についても表表紙と同様に、裏表紙の有無、裏表紙を給紙する付加用紙給紙トレイの番号、及び裏表紙のサイズを指定する。本実施形態においては、裏表紙のサイズを自動に設定する。
【００６２】
そして、その画像出力命令は記録紙ＣＰに形成すべき画像データとともにクライアントＰＣ９０から出力され、ネットワークを介して画像形成装置本体ＧＨに入力される。画像データ等は画像処理部２のＬＡＮ  ＩＦを介して画像処理部２に入力され、ＤＲＡＭ制御部２Ｂや制御部６０内のＤＲＡＭ制御部６２を介して画像メモリ（ＤＲＡＭ）６４内に格納される。また、制御部６０内の画像制御部６１に画像出力命令に対応した信号が入力される。そして、画像制御部６１の制御により、画像メモリ６４内から画像データが出力され、書込処理部６７を介してプリンタ部８０に入力される。そして、プリンタ部８０内の画像書込部３及び画像形成部４により記録紙ＣＰに画像が形成され、その記録紙ＣＰは後処理装置ＦＳに送り込まれる。なお、記録紙ＣＰが画像形成装置本体ＧＨから後処理装置ＦＳに排出されるタイミングは上述したように、表表紙となる付加用紙ＨＰが付加用紙給紙部４０（４１）から給紙された後である。
【００６３】
また、画像制御部６１は、画像出力命令の信号に基づいて表表紙のサイズが自動に設定されているか否かを判断する（ステップＳ０２）。クライアントＰＣ９０での設定で自動が選ばれている場合は（ステップＳ０２、Ｙｅｓ）、引き続き後処理の有無が判断される（ステップＳ０３）。この後処理の有無の判断は、クライアントＰＣ９０からの出力信号に基づいて画像制御部６１が判断する。
【００６４】
クライアントＰＣ９０での設定で後処理を行う設定がなされている場合は（ステップＳ０３、Ｙｅｓ）、画像制御部６１は記録紙ＣＰの第１枚目のサイズを確定する（ステップＳ０４）。つまり、クライアントＰＣ９０から出力された画像出力命令に対応する信号から、記録紙ＣＰの第１枚目のサイズを判断する。具体的には、記録紙ＣＰの第１枚目のサイズがＡ４と設定されて出力されている場合は、画像制御部６１はその出力信号から記録紙ＣＰの第１枚目のサイズをＡ４と判断し、第１枚目のサイズを確定する（ステップＳ０４）。
【００６５】
複数枚の記録紙ＣＰに画像を出力する場合においては、クライアントＰＣから各紙のサイズに対応する信号が画像形成装置本体ＧＨに伝達され、画像制御部６１はその信号に基づいて各紙のサイズを判断する。例えば、４枚の記録紙に画像を形成して出力する場合、１枚目のサイズに対応する信号、２枚目のサイズに対応する信号、３枚目のサイズに対応する信号、４枚目のサイズに対応する信号がクライアントＰＣ９０から画像形成装置本体ＧＨに出力され、画像制御部６１は各信号に基づいて何枚目の記録紙のサイズはどのようなサイズなのか判断する。
【００６６】
そして、上記の判断結果から記録紙ＣＰの表表紙のサイズを決定する（ステップＳ０５）。例えば、画像制御部６１により第１枚目のサイズがＡ４であると判断された場合、画像制御部６１は表表紙のサイズをＡ４と決定する。または、Ａ４と少なくとも一辺の長さが等しい同系列のサイズを表表紙のサイズと決定する。例えば、Ａ４サイズと一辺の長さが等しいＡ３サイズが表表紙のサイズと決定される。
【００６７】
なお、ステップＳ０２における判断において、クライアントＰＣ９０での設定で表表紙のサイズが自動に設定されていない場合は（ステップＳ２、Ｎｏ）、画像処理部６１は表表紙のサイズを決定する（ステップＳ０６）。自動選択が選ばれていない場合は、クライアントＰＣ９０での設定で、操作者の指定により用紙サイズが選択されているため、その選択された用紙のサイズが表表紙のサイズとなる。例えば、表表紙のサイズとしてＡ４が選択されている場合は、表表紙のサイズはＡ４に決定される。
【００６８】
このように、表表紙のサイズが決定すると、付加用紙給紙トレイ２０、２１に決定されたサイズの付加用紙ＨＰが備えられているか否かが判断される（ステップＳ０８）。具体的には、画像制御部６１から表表紙のサイズに対応する信号がＦＳ制御部１６に出力される。そして、ＦＳ制御部１６はその信号を受けて付加用紙検知手段１７に検知の命令信号を出力し、付加用紙検知手段１７は付加用紙給紙部４０（４１）に備えられている付加用紙給紙トレイ２０、２１の付加用紙のサイズを検知する。そして、その検知結果をＦＳ制御部１６に出力し、ＦＳ制御部１６はその信号と画像制御部６１から出力された信号とに基づいて、付加用紙給紙トレイ２０、２１に同じサイズの付加用紙が備えられているか否かの判断を行う。つまり、ステップＳ０６にて決定された表表紙のサイズと同じサイズの付加用紙が備えられているか否かの判断を行う。本実施形態においては、Ａ４サイズ又はＡ４サイズと同系列のＡ３サイズの用紙が備えられているか否かの判断が行われる。
【００６９】
クライアントＰＣ９０において、付加用紙給紙トレイの番号が指定されている場合は、その指定されたトレイにステップＳ０６で決定された表表紙のサイズの用紙が備えられているか判断される。例えば、クライアントＰＣ９０での設定で付加用紙給紙トイレ２０が選択されている場合、付加用紙給紙トレイ２０にＡ４サイズの用紙又はＡ３サイズの用紙が備えられているか判断される。
【００７０】
一方、付加用紙給紙トレイの番号が指定されておらず、自動選択に設定されている場合は、付加用紙検知手段１７の検知結果と画像制御部６１から出力された信号とに基づいて、ＦＳ制御部１６は、ステップＳ０６で決定された表表紙と同じサイズの付加用紙が備えられているトレイを選択する。つまり、ＦＳ制御部１６は検知結果に基づいて、どの付加用紙給紙トレイにＡ４又はＡ３の用紙が備えられているか判断し、そのサイズの用紙が備えられている付加用紙給紙トレイを選択し、そのトレイから給紙を行うことになる。例えば、付加用紙給紙トレイ２０にＡ４又はＡ３サイズの付加用紙が備えられている場合は、付加用紙給紙トレイ２０が選択され、そのトレイから付加用紙が給紙されることになる。
【００７１】
同一のサイズ又は幅が等しい同系列のサイズの用紙が存在する場合は（ステップＳ０８、Ｙｅｓ）、ＦＳ制御部１６は付加用紙給紙部４０（４１）に付加用紙を給紙するように信号を伝達する。付加用紙給紙部４０（４１）はその給紙命令を受けて付加用紙給紙トレイ２０（２１）から付加用紙を給紙する（ステップＳ０９）。このようにして、記録紙ＣＰに表表紙が給紙されることになる。
【００７２】
一方、付加用紙給紙トレイ２０、２１に同一又は同系列のサイズを有する表表紙がセットされていないと判断された場合（ステップＳ０８、Ｎｏ）、画像制御部６１から操作部７０の表示部に付加用紙を要求する信号を出力し、表示器は操作者が認知できるように付加用紙をセットするように表示を行う（ステップＳ１０）。例えば、表示器に「付加用紙をセット」等の警告を表示する。その他、点灯又は点滅するライトを設けてそのライトを点滅等させても良く、スピーカ等を設けて音声で操作者に警告を行っても良い。
【００７３】
そして、画像制御部６１及びＦＳ制御部１６は各手段を制御して各手段の動作を停止し、画像形成装置及び後処理装置の動作を停止する（ステップＳ１１）。
【００７４】
また、ステップＳ０３において、クライアントＰＣ９０での設定で後処理を行う設定がなされていない場合は（ステップＳ２、Ｎｏ）、記録紙ＣＰの表表紙のサイズを決定する（ステップＳ０７）。後処理を行わない場合は、付加用紙ＨＰのサイズと記録紙ＣＰのサイズとが一致している必要はないため、予め付加用紙給紙トレイ２０（２１）に備えられている付加用紙のサイズに決定する。そして、クライアントＰＣ９０にて指定された付加用紙給紙トレイ２０（２１）から付加用紙ＨＰを給紙する（ステップＳ０９）。
【００７５】
そして、表表紙となる付加用紙ＨＰが給紙されると、ＦＳ制御部１６は付加用紙ＨＰを給紙した旨の信号を画像制御部６１に送信する。画像制御部６１はその信号を受けて、画像形成装置本体ＧＨから画像が形成された記録紙ＣＰを後処理装置ＦＳに排出する。なお、給紙された付加用紙ＨＰはストッパＥＡ等で保持され、後から搬送される記録紙ＣＰが付加用紙ＨＰの上に積層される。そして、全ての記録紙ＣＰが排出されると、画像制御部６１はＦＳ制御部１６に対して全ての記録紙ＣＰが排出された旨の信号を送信する。ＦＳ制御部１６はその信号を受けて裏表紙となる付加用紙ＨＰを給紙する。
【００７６】
裏表紙も表表紙と同様にサイズが決定されて給紙される。まず、画像制御部６１により裏表紙のサイズが自動に設定されているか否かが判断される（ステップＳ１２）。クライアントＰＣ９０で裏表紙のサイズについて自動が選ばれている場合は（ステップＳ１２、Ｙｅｓ）、後処理の有無が判断される（ステップＳ１３）。この後処理の有無は、クライアントＰＣ９０からの出力信号に基づいて画像制御部６１が判断する。
【００７７】
後処理を行う設定がなされている場合は（ステップＳ１３、Ｙｅｓ）、画像制御部６１は記録紙ＣＰの最終紙のサイズを確定する（ステップＳ１４）。第１枚目のサイズ確定と同様に、クライアントＰＣから出力された画像出力命令に対応する信号から、記録紙ＣＰの最終紙のサイズを判断する。例えば、記録紙ＣＰの最終紙のサイズがＡ４と設定されて出力されている場合は、画像制御部６１はその出力信号から記録紙ＣＰの最終紙のサイズをＡ４と判断し、最終紙のサイズを決定する（ステップＳ１４）。
【００７８】
そして、その判断結果から記録紙ＣＰの裏表紙のサイズを決定する（ステップＳ１５）。例えば、画像制御部６１により最終紙のサイズがＡ４であると判断された場合、画像制御部６１は裏表紙のサイズをＡ４と決定する。または、Ａ４と一辺の長さが等しい同系列のＡ３が裏表紙のサイズと決定される。
【００７９】
なお、ステップＳ１２において、クライアントＰＣでの設定で自動が選ばれていない場合は（ステップＳ１２、Ｎｏ）、画像処理部６１は裏表紙のサイズを決定する（ステップＳ１６）。表表紙の場合と同様に、自動が選ばれていない場合は、クライアントＰＣでの設定で、操作者の指定により用紙サイズが選択されているため、その選択された用紙のサイズが裏表紙のサイズとなる。
【００８０】
このように、裏表紙のサイズが決定すると、付加用紙給紙トレイ２０、２１に決定されたサイズの付加用紙ＨＰが備えられているか否かが判断される（ステップＳ１８）。表表紙と同様に、画像制御部６１から裏表紙のサイズに対応する信号がＦＳ制御部１６に出力される。そして、ＦＳ制御部１６の制御により付加用紙検知手段１７は付加用紙給紙部４０（４１）に備えられている付加用紙給紙トレイ２０、２１の付加用紙ＨＰのサイズを検知する。そして、その検知結果をＦＳ制御部１６に出力し、ＦＳ制御部１６はその信号と、画像制御部６１から出力された信号とに基づいて付加用紙給紙トレイ２０、２１に同じサイズの付加用紙ＨＰが備えられているか否かの判断を行う。
【００８１】
クライアントＰＣ９０において、付加用紙給紙トレイ２０（２１）の番号が指定されている場合は、その指定されたトレイに決定された裏表紙のサイズの用紙が備えられているか判断される。例えば、付加用紙給紙トレイ２０が選択されている場合は、付加用紙トレイ２０にＡ４サイズの用紙又はＡ３サイズの用紙が備えられているか判断される。一方、付加用紙給紙トレイ２０（２１）の番号が自動に設定されている場合は、付加用紙検知手段１７の検知結果と画像制御部６１から出力された信号とに基づいてトレイを選択する。本実施形態においては、Ａ４又はＡ３の用紙が備えられているか判断し、そのサイズが備えられている付加用紙給紙トレイ２０（２１）を選択し、そのトレイから給紙を行うことになる。
【００８２】
同一又は同系列のサイズの付加用紙ＨＰが存在する場合は（ステップＳ１８、Ｙｅｓ）、ＦＳ制御部１６は付加用紙給紙部４０（４１）に付加用紙ＨＰを給紙するように信号を伝達する。付加用紙給紙部４０（４１）はその給紙命令を受けて付加用紙ＨＰを給紙する（ステップＳ１９）。このようにして、記録紙ＣＰに裏表紙が給紙されることになる。
【００８３】
一方、付加用紙給紙トレイ２０、２１に同一又は同系列のサイズを有する裏表紙がセットされていないと判断された場合（ステップＳ１８、Ｎｏ）、表示部は付加用紙ＨＰをセットするように警告を表示する（ステップＳ２０）。そして、画像制御部６１及びＦＳ制御部１６の制御により各手段の動作を停止し、画像形成装置及び後処理装置の動作を停止する（ステップＳ２１）。
【００８４】
また、ステップＳ１３において、クライアントＰＣ９０での設定で後処理を行う設定がなされていない場合（ステップＳ１３、Ｎｏ）、記録紙ＣＰの裏表紙のサイズを決定する（ステップＳ１７）。表表紙と同様に、予め付加用紙給紙トレイ２０、２１に備えられている付加用紙のサイズに決定する。そして、クライアントＰＣ９０にて指定された付加用紙給紙トレイ２０（２１）から付加用紙ＨＰを給紙する（ステップＳ１９）。
【００８５】
そして給紙された裏表紙となる付加用紙ＨＰはストッパＥＡ等に搬送され、記録紙ＣＰの上に積層される。このようにして表表紙及び裏表紙が給紙されて記録紙に付加された後、綴じ処理等の後処理が施され、昇降排紙トイレ２３等に排紙される。
【００８６】
また、後処理を行う設定がなされている場合において、記録紙ＣＰ中に辺の長さが異なる異系列のサイズの用紙が混載している場合は、後処理を行わずに付加用紙ＨＰが付加される。例えば、ステープラ１４による綴じ処理等の後処理を行うためには、記録紙ＣＰ同士の辺の長さ等しい必要がある。従って、辺の長さ異なる異系列のサイズの用紙が混載すると、それらの記録紙ＣＰを綴じたり、折り畳んだりする処理を行うことができないため、後処理の動作を停止させる。
【００８７】
例えば、４枚の記録紙ＣＰに画像を形成する場合であって、１枚目〜３枚目までの記録紙ＣＰにはＡ４サイズの用紙が供給され、最終紙の４枚目だけがＢ４サイズの用紙が供給されている場合、Ａ４とＢ４とではそれらの辺の長さが異なるため綴じ処理等の処理を行うことはできない。図９の記録紙ＣＰの上面図に示すように、Ａ４の用紙とＢ４の用紙とが重なった場合に、記録紙ＣＰの端部を綴じようとすると、Ａ４用紙の端部のみにステープル処理が施され、Ｂ４の用紙はステープル処理が施されない。従って、Ａ４の用紙とＢ４の用紙とは一緒に綴じられることはない。
【００８８】
このような場合、クライアントＰＣ９０からの画像出力命令を受けた画像制御部６１は、その出力信号に基づいて、辺の長さが異なる異系列のサイズが混載しているか否かを判断し、混載している場合は、後処理を停止する信号をＦＳ制御部１６に出力する。ＦＳ制御部１６はその信号を受けてステープラ１４等の後処理手段を制御してそれらの動作を停止させる。ステープラ１４等の後処理手段を停止させる一方で、付加用紙ＨＰを付加する設定がなされている場合は、付加用紙給紙部４０（４１）を制御して記録紙ＣＰに対して付加用紙ＨＰを付加する制御を行なう。この場合、記録紙ＣＰと表紙等の付加用紙ＨＰとが綴じられる等の処理がされることはなく、記録紙ＣＰに付加用紙ＨＰが付加されるだけとなる。なお、付加用紙ＨＰのサイズが自動に設定されている場合は、第１枚目の用紙と同一又は同系列のサイズを有する付加用紙ＨＰ（表表紙）が付加され、最終紙の用紙と同一又は同系列のサイズを有する付加用紙ＨＰ（裏表紙）が付加される。また、クライアントＰＣ９０において付加用紙ＨＰのサイズが指定されている場合は、その指定されたサイズの付加用紙ＨＰ（表表紙及び裏表紙）が付加されることになる。
【図面の簡単な説明】
【００８９】
【図１】この発明の実施形態に係る画像形成装置の概略構成を示す断面図である。
【図２】この発明の実施形態に係る画像形成装置の回路構成を示すブロック図である。
【図３】この発明の実施形態に係る画像形成装置の動作を順番に示すフローチャートである。
【図４】この発明の実施形態に係る画像形成装置の動作を順番に示すフローチャートである。
【図５】この発明の実施形態に係る画像形成装置に接続されているクライアントＰＣにおける画像出力条件の設定画面である。
【図６】記録紙と付加用紙との配置例を説明するための用紙の斜視図である。
【図７】用紙サイズを説明するための用紙の上面図である。
【図８】用紙サイズを示す表である。
【図９】用紙サイズを説明するための用紙の上面図である。
【符号の説明】
【００９０】
１  画像読取部
２  画像処理部
３  画像書込部
４  画像形成部
１０  穿孔手段
１１  シフト手段
１４  ステープラ
１５  折り畳み手段
１６  ＦＳ制御部
１７  付加用紙検知手段
４０  付加用紙給紙部
６０  制御部
７０  操作部
８０  プリンタ部
ＧＨ  画像形成装置本体
ＦＳ  後処理装置
【図１】
2005335846.tif 000003
【図２】
2005335846.tif 000004
【図３】
2005335846.tif 000005
【図４】
2005335846.tif 000006
【図５】
2005335846.tif 000007
【図６】
2005335846.tif 000008
【図７】
2005335846.tif 000009
【図８】
2005335846.tif 000010
【図９】
2005335846.tif 000011